(57)【要約】【課題】短時間で選局プリセットを完了できるようにする。【解決手段】制御部２は、選局プリセット処理を行う際、全チャンネルから第１対象チャンネルＣＴ１を選択してチューナ４Ｔ１により映像信号ＶＴ１を生成させ、当該映像信号ＶＴ１から得られる映像データＶＤ１を基に有効判別処理を行い、有効チャンネルと判別した場合に当該第１対象チャンネルＣＴ１の選局情報ＩＦを記憶部１１にプリセット登録し、これと並行して第１対象チャンネルＣＴ１と異なる第２対象チャンネルＣＴ２を選択してチューナ４Ｔ２により映像信号ＶＴ２を生成させ、当該映像信号ＶＴ２から得られる映像データＶＤ２を基に有効判別処理を行い、有効チャンネルと判別した場合に当該第２対象チャンネルＣＴ２の選局情報ＩＦを記憶部１１にプリセット登録することにより、極めて短い時間で選局プリセット処理を完了することができる。【選択図】図１
2009016893.tif 000002
【特許請求の範囲】
【請求項１】
指定された受信周波数の放送波を受信し受信信号を生成するチューナを２以上有する受信部と、
上記放送波の放送周波数帯から互いに異なる複数の周波数を選択し、各周波数を上記２以上のチューナに対し上記受信周波数としてそれぞれ指定する周波数指定部と、
上記受信部の各チューナからそれぞれ上記受信信号の供給を受け、当該受信信号に有効な情報が含まれるか否かをそれぞれ判別する信号判別部と、
上記受信信号に上記有効な情報が含まれている上記受信周波数をプリセット周波数として記憶する記憶部と
を具えることを特徴とする放送受信装置。
【請求項２】
上記受信部は、
上記２以上のチューナによりそれぞれテレビジョン放送波を受信すると共にそれぞれ映像信号を生成し、
上記信号判別部は、
上記受信部の各チューナからそれぞれ上記映像信号の供給を受け、当該映像信号における映像の有無をそれぞれ判別する
ことを特徴とする請求項１に記載の放送受信装置。
【請求項３】
２以上の上記映像信号を基に１の表示映像信号を生成する表示映像信号生成部と、
上記表示映像信号を所定の表示パネルに表示することにより、当該映像信号にそれぞれ対応した２以上の映像を表示する表示部と
を具えることを特徴とする請求項２に記載の放送受信装置。
【請求項４】
上記周波数指定部は、
上記信号判別部により上記有効な情報が含まれるか否かを判別し終えた上記受信信号を生成していた上記チューナ回路に対し、上記受信周波数として未指定の周波数を新たな上記受信周波数として指定する
ことを特徴とする請求項１に記載の放送受信装置。
【請求項５】
上記周波数指定部は、
上記放送周波数帯を複数の分割周波数帯に分割し上記２以上のチューナにそれぞれ割り当て、各チューナに対しそれぞれの分割周波数帯内で上記受信周波数を指定する
ことを特徴とする請求項１に記載の放送受信装置。
【請求項６】
上記周波数指定部は、
上記放送周波数帯のうち上記放送波が送信されるべく規定された離散的な規定周波数を、上記２以上のチューナ回路に対し重複無く上記受信周波数として指定する
ことを特徴とする請求項１に記載の放送受信装置。
【請求項７】
放送波の放送周波数帯から互いに異なる複数の周波数を選択し、各周波数を２以上のチューナに対し受信周波数としてそれぞれ指定する周波数指定ステップと、
上記２以上のチューナにより上記受信周波数の上記放送波を受信し受信信号を生成する受信ステップと、
上記２以上のチューナからそれぞれ上記受信信号の供給を受け、当該受信信号に有効な情報が含まれるか否かをそれぞれ判別する信号判別ステップと、
上記受信信号に上記有効な情報が含まれている上記受信周波数をプリセット周波数として所定の記憶部に記憶する記憶ステップと
を具えることを特徴とする受信周波数登録方法。
【発明の詳細な説明】
【技術分野】
【０００１】
本発明は放送受信装置及び受信周波数登録方法に関し、例えばテレビジョン装置に適用して好適なものである。
【背景技術】
【０００２】
従来、テレビジョン装置においては、搭載するテレビジョンチューナによりテレビジョン放送波を受信し、テレビジョン番組の映像を表示部に表示するようになされたものが広く普及している。
【０００３】
実際のテレビジョン放送では、電波を有効活用する等の観点から、地域によりテレビジョン番組の放送が行われる周波数（すなわちチャンネル）が異なる。このためテレビジョン装置は、使用開始時等の初期設定処理として、その地域で実際に放送が行われている周波数を探索して登録する必要がある。
【０００４】
このため、テレビジョン装置のなかには、受信可能な全てのチャンネルについて選局できるか否か、すなわちテレビジョン放送波を正常に受信できるか否かを順次判別し、受信可能なチャンネルを順次登録する選局プリセット（チャンネルプリセットとも呼ぶ）を行うようになされたものが提案されている（例えば、特許文献１参照）。
【特許文献１】特開平１０−２２４７０４号公報（第２図）
【発明の開示】
【発明が解決しようとする課題】
【０００５】
しかしながら、かかる構成のテレビジョン受像機等では、上述した選局プリセットにおいて、受信可能な全てのチャンネルについてテレビジョン放送波を正常に受信できるか否かを順次判別するため、完了するまでに時間を要してしまい、その間ユーザを待たせることになってしまうという問題があった。
【０００６】
本発明は以上の点を考慮してなされたもので、短時間で選局プリセットを完了し得る放送受信装置及び受信周波数登録方法を提案しようとするものである。
【課題を解決するための手段】
【０００７】
かかる課題を解決するため本発明の放送受信装置においては、指定された受信周波数の放送波を受信し受信信号を生成するチューナを２以上有する受信部と、放送波の放送周波数帯から互いに異なる複数の周波数を選択し、各周波数を２以上のチューナに対し受信周波数としてそれぞれ指定する周波数指定部と、受信部の各チューナからそれぞれ受信信号の供給を受け、当該受信信号に有効な情報が含まれるか否かをそれぞれ判別する信号判別部と、受信信号に有効な情報が含まれている受信周波数をプリセット周波数として記憶する記憶部とを設けるようにした。
【０００８】
これにより、２以上の受信周波数でなる放送波にそれぞれ有効な情報が含まれているか否かを並行して判別することができる。
【０００９】
また本発明の受信周波数登録方法においては、放送波の放送周波数帯から互いに異なる複数の周波数を選択し、各周波数を２以上のチューナに対し受信周波数としてそれぞれ指定する周波数指定ステップと、２以上のチューナにより受信周波数の放送波を受信し受信信号を生成する受信ステップと、２以上のチューナからそれぞれ受信信号の供給を受け、当該受信信号に有効な情報が含まれるか否かをそれぞれ判別する信号判別ステップと、受信信号に有効な情報が含まれている受信周波数をプリセット周波数として所定の記憶部に記憶する記憶ステップとを設けるようにした。
【００１０】
これにより、２以上の受信周波数でなる放送波にそれぞれ有効な情報が含まれているか否かを並行して判別することができる。
【発明の効果】
【００１１】
本発明によれば、２以上の受信周波数でなる放送波にそれぞれ有効な情報が含まれているか否かを並行して判別することができ、かくして短時間で選局プリセットを完了し得る放送受信装置及び受信周波数登録方法を実現できる。
【発明を実施するための最良の形態】
【００１２】
以下、図面について、本発明の一実施の形態を詳述する。
【００１３】
（１）テレビジョン装置の回路構成
図１において、テレビジョン装置１は、テレビジョン放送波を受信して得られる映像信号や外部から入力される映像信号に基づいた映像を表示部７に表示し得るようになされている。
【００１４】
制御部２は、テレビジョン装置１全体を統括制御するようになされており、各種プログラムの実行や各種演算処理等を行うＣＰＵ（Central Processing Unit）１０を中心に構成され、不揮発性メモリでなり各種データを記憶する記憶部１１及び他の回路との間で制御命令やデータ等の送受信を行うＩ／Ｏ（Input/Output）ポート１２を有している。
【００１５】
操作部３は、図示しない操作ボタンや図示しないリモートコントローラを介したユーザからの操作指示を受け付け、当該操作指示に基づいた操作信号を制御部２へ供給する。このとき制御部２は、当該操作信号に応じて各種処理を行うようになされている。
【００１６】
受信部４のチューナ４Ｔ１及び４Ｔ２は、互いに独立しており、操作部３を介したユーザの指示に基づいたテレビジョン放送波をそれぞれ受信し、所定の復調処理等を行うことにより映像信号ＶＴ１及びＶＴ２をそれぞれ生成して、これらを入力スイッチ５へ供給する。
【００１７】
因みにチューナ４Ｔ１及び４Ｔ２は、例えば地上ディジタルテレビジョン放送、ＢＳ（Broadcasting Satellite）ディジタルテレビジョン放送及びＣＳ（Communication Satellite）ディジタルテレビジョン放送の３波に対応するようになされているが、これに代えてアナログテレビジョン放送やＢＳアナログテレビジョン放送等に対応したものであっても良い。
【００１８】
また地上ディジタルテレビジョン放送等では、テレビジョン放送波を送信する際の周波数がチャンネルとして規定されている。制御部２は、このチャンネルと周波数とを対応付けた対応テーブルを記憶部１１に記憶しており、操作部３を介してユーザからチャンネルを指定する操作を受け付けると、当該チャンネルに対応した周波数を対応テーブルから読み出しチューナ４Ｔ１及び４Ｔ２へ送出する。これに応じてチューナ４Ｔ１及び４Ｔ２は、指定されたチャンネルに対応したテレビジョン放送波を受信するようになされている。
【００１９】
入力スイッチ５は、制御部２の制御に基づき、映像信号ＶＴ１及びＶＴ２をそれぞれスケーラ６へ供給するようになされている。因みに入力スイッチ５は、ユーザの操作により外部入力端子（図示せず）が選択された場合、当該外部入力端子を介して入力される映像信号をスケーラ６へ供給するようにもなされている。
【００２０】
スケーラ６は、映像信号を一時的に記憶するための映像用メモリ領域６Ｍ１及び６Ｍ２を有しており、映像信号ＶＴ１及びＶＴ２をそれぞれ映像用メモリ領域６Ｍ１及び６Ｍ２に一時記憶する。またスケーラ６は、映像用メモリ領域６Ｍ１及び６Ｍ２に記憶した映像信号ＶＴ１及びＶＴ２について、その種類を判別する映像判別処理を行うようになされている。
【００２１】
例えばスケーラ６は、映像信号ＶＴ１及びＶＴ２のそれぞれの信号形式について、当該選択映像信号ＶＳの周波数又は当該選択映像信号ＶＳに含まれるＩＤ（Identifier）信号等を基に、映像信号の有無、インターレース又はプログレッシブのいずれであるか、走査線の数による解像度（４８０ｉ、４８０ｐ、１０８０ｉ、７２０ｐ又は１０８０ｐ）を判別し、ワイド信号情報を基に画面のアスペクト比が４：３、１６：９スクイーズ又は１６：９レターボックス等のいずれであるかを判別し、テレビジョンシステム、すなわちコンポジットビデオ信号の場合におけるカラーシステム（ＮＴＳＣ、ＰＡＬ（Phase Alternation by Line）又はＳＥＣＡＭ（Sequential Couleure A Memoire））を判別し、動画又は静止画のいずれであるかを判別し、またＣＣ（Closed Caption）の有無、Ｉｎｆｏ  Ｂａｎｎｅｒの有無、ＴＥＬＥＴＥＸＴの有無等を判別し、このときの判別結果を表す映像情報ＩＦ１及びＩＦ２を生成する。
【００２２】
続いてスケーラ６は、映像情報ＩＦ１及びＩＦ２を参照して映像信号ＶＴ１及びＶＴ２を基に所定の映像加工処理を施すことにより表示映像信号ＶＥを生成し、これを表示部７へ供給する。
【００２３】
このときスケーラ６は、メモリ上で映像信号ＶＴ１及びＶＴ２に基づいた映像Ｅ１及びＥ２をそれぞれ縮小すると共に１画面内に並べて配置することにより、表示映像信号ＶＥを生成する。
【００２４】
表示部７は、例えば液晶パネル及び当該液晶パネルを駆動する駆動回路等（いずれも図示せず）により構成されており、当該駆動回路により表示映像信号ＶＥに基づいた駆動信号を生成して液晶パネルへ供給することにより、当該表示映像信号ＶＥを表す映像を当該液晶パネルに表示するようになされている。この結果、表示部７は、図１に示すように、映像Ｅ１及びＥ２を１画面内に配置した映像を表示する。
【００２５】
なお表示部７は、液晶パネル及びその駆動回路等に限らず、例えばプラズマディスプレイパネル及びその駆動回路、ＦＥＤ（Field Emission Display、電界放出ディスプレイ）パネル及びその駆動回路等の種々の方式であっても良い。
【００２６】
このようにテレビジョン装置１は、チューナ４Ｔ１及び４Ｔ２によりテレビジョン放送波を受信し、その映像Ｅ１及びＥ２を表示部７に表示するようになされている。
【００２７】
因みにテレビジョン装置１は、操作部３を介したユーザの操作に基づき、例えばスケーラ６により映像信号ＶＴ１を基に映像Ｅ１のみを表す表示映像信号ＶＥを生成し、表示部７の液晶パネル全体に映像Ｅ１を表示し得るようにもなされている。
【００２８】
（２）選局プリセット処理
ところでテレビジョン装置１は、設置された直後等に、チューナ４Ｔ１及び４Ｔ２により受信可能な全てのチャンネル（以下、これを全チャンネルと呼ぶ）のうち、実際にテレビジョン番組の放送が行われているチャンネル（以下、これを有効チャンネルと呼ぶ）を探索しプリセットチャンネルとして登録する処理（以下、これを選局プリセット処理と呼ぶ）を行うようになされている。
【００２９】
具体的に制御部２は、操作部３を介して選局プリセット処理を行う旨の指示を受け付けると、全チャンネルのなかからチューナ４Ｔ１により受信すべきチャンネル（以下、これを第１対象チャンネルＣＴ１と呼ぶ）を選択し、当該第１対象チャンネルＣＴ１の受信指示をチューナ４Ｔ１へ供給する。
【００３０】
チューナ４Ｔ１は、第１対象チャンネルＣＴ１のテレビジョン放送波を受信して映像信号ＶＴ１を生成し、入力スイッチ５を介して当該映像信号ＶＴ１をスケーラ６へ供給する。スケーラ６は、映像信号ＶＴ１を映像用メモリ領域６Ｍ１に記憶させると共に、当該映像信号ＶＴ１に基づく映像データＶＤ１を制御部２へ供給する。
【００３１】
制御部２は、スケーラ６から供給される映像データＶＤ１を基に、当該映像データＶＤ１に有効な映像が含まれているか否かを判別する（以下、これを有効判別処理と呼ぶ）。制御部２は、映像データＶＤ１に有効な映像が含まれていた場合には、第１対象チャンネルＣＴ１を有効チャンネルと判別し、当該第１対象チャンネルＣＴ１の周波数及びチャンネル番号等を選局情報ＩＦとして記憶部１１に記憶する。
【００３２】
記憶部１１は、ｎ個の選局情報ＩＦ１〜ＩＦｎを記憶し得るようになされており、また既に有効判別処理を行ったチャンネルについても記憶するようになされている。ここで、記憶部１１に選局情報ＩＦを記憶することは、第１対象チャンネルＣＴ１をプリセットチャンネルとして登録することになる。
【００３３】
一方、制御部２は、映像データＶＤ１に有効な映像が含まれていなかった場合には、第１対象チャンネルＣＴ１をテレビジョン放送が行われていない無効なチャンネル（以下これを無効チャンネルと呼ぶ）であると判別し、当該第１対象チャンネルＣＴ１については選局情報ＩＦを記憶しない。
【００３４】
因みチューナ４Ｔ１は、その構造上、第１対象チャンネルＣＴ１の受信指示を受けてから安定して映像信号ＶＴ１を生成できるまでに、ある程度の時間を要してしまう。そこで制御部２は、チューナ４Ｔ１に対して第１対象チャンネルＣＴ１の受信指示を供給してから所定の待機時間だけ待機することにより映像信号ＶＴ１を安定させ、その後の映像データＶＤ１を基に第１対象チャンネルＣＴ１が有効チャンネルであるか否かを判断するようになされている。
【００３５】
このように制御部２は、チューナ４Ｔ１及びスケーラ６を制御して第１対象チャンネルＣＴ１について有効判別処理を行い、有効チャンネルであると判断した場合には当該第１対象チャンネルＣＴ１の選局情報ＩＦを記憶部１１に記憶するようになされている。
【００３６】
これと並行して制御部２は、全チャンネルのなかからチューナ４Ｔ２により受信すべきチャンネル（以下、これを第２対象チャンネルＣＴ２と呼ぶ）を選択し、当該第２対象チャンネルＣＴ２の受信指示をチューナ４Ｔ２へ指示する。このとき制御部２は、第２対象チャンネルＣＴ２を第１対象チャンネルＣＴ１と異なるチャンネルに設定するようになされている（詳しくは後述する）。
【００３７】
チューナ４Ｔ２は、チューナ４Ｔ１と同様、第２対象チャンネルＣＴ２のテレビジョン放送波を受信して映像信号ＶＴ２を生成し、入力スイッチ５を介して当該映像信号ＶＴ２をスケーラ６へ供給する。スケーラ６は、映像信号ＶＴ２を映像用メモリ領域６Ｍ２に記憶させると共に、当該映像信号ＶＴ２に基づく映像データＶＤ２を制御部２へ供給する。
【００３８】
制御部２は、スケーラ６から供給される映像データＶＤ２に基づき、当該映像データＶＤ２に有効な映像が含まれていた場合には第２対象チャンネルＣＴ２が有効チャンネルであると判別し、第２対象チャンネルＣＴ２の周波数及びチャンネル番号等を選局情報ＩＦとして記憶部１１に記憶する。
【００３９】
このように制御部２は、チューナ４Ｔ２及びスケーラ６を制御し、第１対象チャンネルＣＴ１についての有効判別処理と並行して第２対象チャンネルＣＴ２についての有効判別処理を行うようになされている。
【００４０】
因みに制御部２は、選局プリセット処理の実行中にも表示部７に映像Ｅ１及びＥ２を表示させることにより、当該選局プリセット処理の進行状況をユーザに目視させ得るようになされている。
【００４１】
ところで制御部２は、第１対象チャンネルＣＴ１及び第２対象チャンネルＣＴ２を割り当てる場合、当該第１対象チャンネルＣＴ１及び当該第２対象チャンネルＣＴ２として割り当てるチャンネルを、以下の第１割当パターン又は第２割当パターンのいずれかに従い順次設定するようになされている。
【００４２】
すなわち制御部２は、第１割当パターンにより第１対象チャンネルＣＴ１及び第２対象チャンネルＣＴ２に各チャンネルを割り当てる場合、図２に示す周波数割当テーブルＴＢＬ２に従い、全チャンネルに相当する周波数範囲を適宜分割し、分割した各周波数範囲のチャンネルをチューナ４Ｔ１及び４Ｔ２にそれぞれ割り当てるようになされている。
【００４３】
例えば制御部２は、チューナ４Ｔ１に対しては、周波数に換算して４４．２５［ＭＨｚ］、４４．６５［ＭＨｚ］、４４．８５［ＭＨｚ］、…のように順次チャンネルを割り当て、チューナ４Ｔ２に対しては、周波数に換算して１４７．２５［ＭＨｚ］、１４７．４５［ＭＨｚ］、１４７．６５［ＭＨｚ］、…のように順次チャンネルを割り当てる。
【００４４】
この結果、制御部２は、各周波数範囲をチューナ４Ｔ１及びチューナ４Ｔ２により分担して有効判別処理を行うことができる。この第１割当パターンの場合、制御部２は、単一のチューナのみにより全チャンネルの有効判別処理を行う場合と比較して、およそ１／２の時間で選局プリセット処理を完了することができる。
【００４５】
因みに制御部２は、一方のチューナ４Ｔ１又は４Ｔ２により周波数範囲の有効判別処理が先に終了した場合には、残りの周波数範囲の一部を他方に分担させることにより、選局プリセット処理をできるだけ短時間で完了させるようになされている。
【００４６】
一方、制御部２は、第２割当パターンにより第１対象チャンネルＣＴ１及び第２対象チャンネルＣＴ２に各チャンネルを割り当てる場合、図３に示すように、全チャンネルに相当する周波数範囲について、周波数の上昇順に各チャンネルをチューナ４Ｔ１及びチューナ４Ｔ２に交互に割り当てるようになされている。
【００４７】
例えば制御部２は、まずチューナ４Ｔ１に対し周波数９０．２５［ＭＨｚ］に相当するチャンネルを割り当て、チューナ４Ｔ２に対し周波数９０．４５［ＭＨｚ］に相当するチャンネルを割り当てる。
【００４８】
その後制御部２は、チューナ４Ｔ１により９０．２５［ＭＨｚ］に相当するチャンネルの有効判別処理が終了すると、チューナ４Ｔ１に対し周波数９０．６５［ＭＨｚ］に相当するチャンネルを割り当てる。同様に制御部２は、チューナ４Ｔ２により９０．４５［ＭＨｚ］に相当するチャンネルの有効判別処理が終了すると、チューナ４Ｔ２に対し周波数９０．８５［ＭＨｚ］に相当するチャンネルを割り当てる。
【００４９】
因みに第２割当パターンは、周波数の間隔を０．２［ＭＨｚ］とする場合に限らず、任意の間隔としても良い。特に第２割当パターンは、実際にテレビジョン放送が行われる周波数に規則性がある場合には、当該規則性に従って各周波数を割り当てるようにしても良い。
【００５０】
制御部２は、このようにチューナ４Ｔ１及びチューナ４Ｔ２に対するチャンネルの交互割当を繰り返すことにより、全チャンネルについて有効判別処理を行うことができる。この第２割当パターンの場合にも、制御部２は、単一のチューナのみにより全チャンネルの有効判別処理を行う場合と比較して、およそ１／２の時間で選局プリセット処理を完了することができる。
【００５１】
ここで、本発明によるテレビジョン装置１のうち、選局プリセット処理に関わる機能をブロック化した機能ブロック構成を図４に示す。図４は全体として放送受信装置２０を表しており、テレビジョン装置１（図１）に対応している。
【００５２】
受信部２１は、受信部４（図１）に対応しており、チューナ４Ｔ１及び４Ｔ２（図１）と対応するチューナ２１Ｔ１、２１Ｔ２、…、２１Ｔｎにより放送波をそれぞれ受信し得るようになされている。
【００５３】
周波数設定部２２は、制御部２のＣＰＵ１０（図１）に対応しており、受信部２１のチューナ２１Ｔ１、２１Ｔ２、…、２１Ｔｎに対し、互いに異なる周波数でなる受信周波数を指定する。これに応じてチューナ２１Ｔ１、２１Ｔ２、…、２１Ｔｎは、並列して受信信号をそれぞれ生成し信号判定部２３へ供給する。
【００５４】
信号判定部２３は、制御部２のＣＰＵ１０（図１）に対応しており、各受信信号に基づき有効な情報が含まれるか否かを判別する有効判別処理をそれぞれ行い、有効と判別された周波数の選局情報を記憶部１１（図１）と対応する記憶部２４にそれぞれ記憶させると共に、有効判別処理が終了したことを周波数設定部２２へ通知する。
【００５５】
これに応じて周波数設定部２２は、有効判別処理を完了したチューナ２１Ｔ１、２１Ｔ２、…、２１Ｔｎに対し新たな受信周波数を指定し、再び有効判別処理を行わせる。
【００５６】
この結果、放送受信装置２０は、複数の受信周波数について並列的に有効判別処理を行い、有効な放送が行われている周波数に関する選局情報のみを記憶部２４に順次記憶させることができる。
【００５７】
（３）選局プリセット処理手順
次に、テレビジョン装置１（図１）により選局プリセット処理を行う際の選局プリセット処理手順について、図５〜図７のフローチャートを用いて説明する。
【００５８】
（３−１）基本動作処理
テレビジョン装置１の制御部２は、電源が投入されると基本動作処理手順ＲＴ１（図５）を開始し、ステップＳＰ１へ移る。ステップＳＰ１において制御部２は、テレビジョン装置１全体を初期化するシステム初期化処理を行い、次のステップＳＰ２へ移る。ステップＳＰ２において制御部２は、初期設定が必要な各回路に対してデバイス設定を行い、次のステップＳＰ３へ移る。
【００５９】
ステップＳＰ３において制御部２は、ユーザによる操作部３を介した操作の有無を確認し、次のステップＳＰ４において何らかの操作を受け付けたか否かを判定する。ここで否定結果が得られると、制御部２はステップＳＰ３へ戻ってユーザによる操作を待ち受ける。一方、ステップＳＰ４において肯定結果が得られると、制御部２は次のステップＳＰ５へ移る。
【００６０】
ステップＳＰ５において制御部２は、ユーザによりなされた操作が選局プリセットの開始指示であったか否かを判定する。ここで肯定結果が得られると、制御部２は選局プリセット処理サブルーチンＳＲＴ２（詳しくは後述する）へ移って選局プリセット処理を行い、次のステップＳＰ７へ移る。
【００６１】
一方、ステップＳＰ５において否定結果が得られると、このことはユーザによりなされた操作が選局プリセットの開始指示以外の他の操作指示であったことを表しており、このとき制御部２はステップＳＰ６へ移って当該操作指示に応じた処理を実行し、次のステップＳＰ７へ移る。
【００６２】
ステップＳＰ７において制御部２は、ユーザの操作により電源切断操作がなされたか否かを判定する。ここで否定結果が得られると、制御部２は再度ステップＳＰ３へ戻り、ユーザの操作を待ち受ける。一方、ステップＳＰ７において肯定結果が得られると、ステップＳＰ８へ移って所定の電源切断処理を行った上で基本動作処理手順ＲＴ１を終了する。
【００６３】
（３−２）選局プリセット処理
次に、選局プリセット処理サブルーチンＳＲＴ２（図６）について説明する。制御部２は、基本動作処理手順ＲＴ１のステップＳＰ５において肯定結果が得られると、選局プリセット処理サブルーチンＳＲＴ２を開始してステップＳＰ１１へ移る。
【００６４】
ステップＳＰ１１において制御部２は、チューナ４Ｔ１へ第１対象チャンネルＣＴ１の受信指示を供給し、次のステップＳＰ１２へ移る。ステップＳＰ１２において制御部２は、チューナ４Ｔ２へ第２対象チャンネルＣＴ２の受信指示を供給し、次のステップＳＰ１３へ移る。
【００６５】
ステップＳＰ１３において制御部２は、チューナ４Ｔ１の設定が完了したか否か、すなわち安定した映像信号ＶＴ１を生成し得るようになったか否かを判定する。ここで肯定結果が得られると、制御部２は次の判別登録処理サブルーチンＳＲＴ３へ移って有効判別処理及びプリセット登録処理を行い（詳しくは後述する）、その後ステップＳＰ１４へ移る。
【００６６】
ステップＳＰ１４において制御部２は、チューナ４Ｔ１へ新たな第１対象チャンネルＣＴ１の受信指示を供給し、次のステップＳＰ１５へ移る。
【００６７】
ステップＳＰ１５において制御部２は、全ての周波数領域、すなわち全チャンネルに対して有効判別処理を完了したか否かを判定する。ここで否定結果が得られると、このことは未だ有効判別処理を行っていない周波数（チャンネル）があることを表しており、このとき制御部２は次のステップＳＰ１６へ移る。
【００６８】
また制御部２は、ステップＳＰ１３において否定結果が得られた場合、チューナ４Ｔ１の設定完了を待つ間にチューナ４Ｔ２による映像信号ＶＴ２を基に有効判別処理を行い得る可能性があるため、ステップＳＰ１６へ移る。
【００６９】
ステップＳＰ１６において制御部２は、チューナ４Ｔ２の設定が完了したか否か、すなわち安定した映像信号ＶＴ２を生成し得るようになったか否かを判定する。ここで肯定結果が得られると、制御部２は次の判別登録処理サブルーチンＳＲＴ３へ移って有効判別処理及びプリセット登録処理を行い、その後ステップＳＰ１７へ移る。
【００７０】
ステップＳＰ１７において制御部２は、チューナ４Ｔ２へ新たな第２対象チャンネルＣＴ２の受信指示を供給し、次のステップＳＰ１８へ移る。ステップＳＰ１８において制御部２は、ステップＳＰ１５と同様、全ての周波数領域に対して有効判別処理を完了したか否かを判定する。
【００７１】
ステップＳＰ１８において否定結果が得られると、制御部２は、チューナ４Ｔ１による映像信号ＶＴ１を基に有効判別処理を行うべく再度ステップＳＰ１３へ戻る。
【００７２】
また制御部２は、ステップＳＰ１６において否定結果が得られた場合、このことはチューナ４Ｔ１及びチューナ４Ｔ２双方の設定完了を待つ必要があることを表しており、このとき制御部２は次のステップＳＰ１９へ移る。ステップＳＰ１９において制御部２は、タイマ１３（図１）を用いて所定時間待機し、再度ステップＳＰ１３へ戻る。
【００７３】
一方、ステップＳＰ１５及びステップＳＰ１８において肯定結果が得られると、このことはこれ以上有効判別処理を行う必要がないことを表しており、このとき制御部２は次のステップＳＰ２０へ移って選局プリセット処理サブルーチンＳＲＴ２を終了し、基本動作処理手順ＲＴ１へ戻る。
【００７４】
（３−３）判別登録処理
次に、判別登録処理サブルーチンＳＲＴ３（図７）について説明する。制御部２は、選局プリセット処理サブルーチンＳＲＴ２のステップＳＰ１３又はステップＳＰ１６において肯定結果が得られると、判別登録処理サブルーチンＳＲＴ３を開始してステップＳＰ３１へ移る。
【００７５】
ステップＳＰ３１において制御部２は、チューナ４Ｔ１又は４Ｔ２において受信状態が最良となる周波数に自動的に調整するＡＦＴ（Auto Fine Tuning）の状態を確認し、次のステップＳＰ３２へ移る。ステップＳＰ３２において制御部２は、映像近傍状態にあるか否か、すなわち映像信号ＶＴ１又はＶＴ２を生成し得る程度に第１対象チャンネルＣＴ１又は第２対象チャンネルＣＴ２に相当する周波数の近傍であるか否かを判定する。ここで肯定結果が得られると、制御部２は次のステップＳＰ３３へ移る。
【００７６】
ステップＳＰ３３において制御部２は、映像用メモリ領域６Ｍ１又は６Ｍ２から映像データＶＤ１又はＶＤ２を取得し、次のステップＳＰ３４へ移る。
【００７７】
ステップＳＰ３４において制御部２は、映像データＶＤ１又はＶＤ２に有効な映像が含まれるか否かを判別し、ここで肯定結果が得られると、次のステップＳＰ３５へ移る。
【００７８】
ステップＳＰ３５において制御部２は、このときの周波数等を選局情報ＩＦとして記憶部１１に記憶することにより第１対象チャンネルＣＴ１又は第２対象チャンネルＣＴ２のプリセット登録を行い、次のステップＳＰ３６へ移る。
【００７９】
また制御部２は、ステップＳＰ３２において否定結果が得られた場合及びステップＳＰ３４において否定結果が得られた場合には、このときの周波数ではテレビジョン放送が行われていないものと判断し、選局情報ＩＦとして記憶せずにステップＳＰ３６へ移る。
【００８０】
ステップＳＰ３６において制御部２は、判別登録処理サブルーチンＳＲＴ３を終了して元の選局プリセット処理サブルーチンＳＲＴ２へ戻る。
【００８１】
（４）動作及び効果
以上の構成において、テレビジョン装置１の制御部２は、選局プリセット処理を行う際、全チャンネルから第１対象チャンネルＣＴ１を選択し、チューナ４Ｔ１により当該第１対象チャンネルＣＴ１のテレビジョン放送波を受信し映像信号ＶＴ１を生成させ、スケーラ６から映像信号ＶＴ１に基づく映像データＶＤ１を供給させる。
【００８２】
制御部２は、スケーラ６から供給される映像データＶＤ１を基に有効判別処理を行い、映像データＶＤ１に有効な映像が含まれていた場合には、第１対象チャンネルＣＴ１を有効チャンネルと判別し、当該第１対象チャンネルＣＴ１の周波数及びチャンネル番号等を選局情報ＩＦとして記憶部１１に記憶する。
【００８３】
これと並行して制御部２は、全チャンネルから第１対象チャンネルＣＴ１と異なる第２対象チャンネルＣＴ２を選択し、チューナ４Ｔ２により当該第２対象チャンネルＣＴ２のテレビジョン放送波を受信し映像信号ＶＴ２を生成させ、スケーラ６から映像信号ＶＴ２に基づく映像データＶＤ２を供給させる。
【００８４】
制御部２は、スケーラ６から供給される映像データＶＤ２に基づき、当該映像データＶＤ２に有効な映像が含まれていた場合には第２対象チャンネルＣＴ２が有効チャンネルであると判断し、第２対象チャンネルＣＴ２の周波数及びチャンネル番号等を選局情報ＩＦとして記憶部１１に記憶する。
【００８５】
従って制御部２は、選局プリセット処理において第１対象チャンネルＣＴ１についての有効判別処理と並行して第２対象チャンネルＣＴ２についての有効判別処理を行うことができるので、チューナ４Ｔ１又は４Ｔ２のいずれか一方のみを用いて有効判別処理を並行しなかった場合と比較して、当該選局プリセット処理を完了するまでの時間を大幅に短縮することができる。
【００８６】
この場合、制御部２は、本来２つのチャンネルの映像Ｅ１及びＥ２を同時にユーザに視聴させるためにテレビジョン装置１に設けられた２つのチューナ４Ｔ１及び４Ｔ２と、スケーラ６の映像用メモリ領域６Ｍ１及び６Ｍ２とを、選局プリセット処理においても活用することができる。このためテレビジョン装置１では、例えば新規購入時や移転時等のように、実行される頻度が極めて低い選局プリセット処理に対して部品や回路等を別途設ける必要がない。
【００８７】
また制御部２は、選局プリセット処理サブルーチンＳＲＴ２（図６）においてチューナ４Ｔ１及び４Ｔ２における設定状態を確認し、設定完了したチューナ４Ｔ１又は４Ｔ２から有効判別処理を逐次開始するため、チューナ４Ｔ１及び４Ｔ２いずれか一方の設定完了を無駄に待つことなく、効率的に有効判別処理を進めることができる。
【００８８】
さらに制御部２は、選局プリセット処理の実行中にも表示部７に映像Ｅ１及びＥ２を表示させ、当該選局プリセット処理の完了を待たなければならないユーザに対し、当該選局プリセット処理が２系統同時に進行している様子を提示することにより、退屈さの軽減を図ることができる。
【００８９】
以上の構成によれば、テレビジョン装置１の制御部２は、選局プリセット処理を行う際、全チャンネルから第１対象チャンネルＣＴ１を選択し、チューナ４Ｔ１により当該第１対象チャンネルＣＴ１のテレビジョン放送波に基づく映像信号ＶＴ１を生成させ、当該映像信号ＶＴ１から得られる映像データＶＤ１を基に有効判別処理を行い、有効チャンネルと判別した場合に当該第１対象チャンネルＣＴ１を選局情報ＩＦとして記憶部１１にプリセット登録し、これと並行して第１対象チャンネルＣＴ１と異なる第２対象チャンネルＣＴ２を選択し、チューナ４Ｔ２により映像信号ＶＴ２を生成させ、当該映像信号ＶＴ２から得られる映像データＶＤ２を基に有効判別処理を行い、有効チャンネルと判別した場合に当該第２対象チャンネルＣＴ２を選局情報ＩＦとして記憶部１１にプリセット登録することにより、極めて短い時間で選局プリセット処理を完了することができる。
【００９０】
（５）他の実施の形態
なお上述した実施の形態においては、受信部４に２系統のチューナ４Ｔ１及び４Ｔ２が設けられ、入力スイッチ５により２系統の映像信号ＶＴ１及びＶＴ２をスケーラ６へ供給し、スケーラ６が２系統の映像用メモリ領域６Ｍ１及び６Ｍ２に映像信号ＶＴ１及びＶＴ２をそれぞれ記憶すると共に２系統の映像データＶＤ１及びＶＤ２を生成するようにした場合について述べたが、本発明はこれに限らず、受信部４が３系統以上のチューナを有し、入力スイッチ５により３系統以上の映像信号をスケーラ６へ供給し、スケーラ６の３系統以上の映像用メモリ領域に各映像信号をそれぞれ記憶すると共に３系統以上の映像データを生成するようにしても良い。これにより、有効判別処理の同時並行実行数を３以上とすることができ、選局プリセット処理を完了するまでの時間をさらに短縮することができる。
【００９１】
また上述した実施の形態においては、第１割当パターンまたは第２割当パターンのいずれかにより全チャンネルから第１対象チャンネルＣＴ１及び第２対象チャンネルＣＴ２を割り当てるようにした場合について述べたが、本発明はこれに限らず、他の種々の割当パターンにより第１対象チャンネルＣＴ１及び第２対象チャンネルＣＴ２を割り当てるようにしても良い。
【００９２】
さらに上述した実施の形態では、テレビジョン放送が行われる周波数がチャンネルとして規定されている場合に、当該チャンネルを利用して選局プリセット処理を行うようにした場合について述べたが、本発明はこれに限らず、例えば国や地域によってチャンネルが規定されていないような場合に、周波数のみを基準に選局プリセット処理を行うようにしても良い。
【００９３】
さらに上述した実施の形態においては、映像データＶＤ１またはＶＤ２に有効な映像が含まれているか否かを判別する有効判別処理を制御部２により行うようにした場合について述べたが、本発明はこれに限らず、例えばスケーラ６により当該有効判別処理を行い、その判別結果を制御部２が取得するようにする等、他の回路により有効判別処理を行うようにしても良い。
【００９４】
さらに上述した実施の形態においては、選局プリセット処理の実行中に映像信号ＶＴ１及びＶＴ２に基づいた映像Ｅ１及びＥ２を表示部７に表示するようにした場合について述べたが、本発明はこれに限らず、表示部７に当該映像Ｅ１及びＥ２を表示しないようにし、または映像Ｅ１及びＥ２のうちいずれか一方のみを表示するようにし、または図示しない外部の映像機器から供給される映像信号に基づいた映像を表示する等しても良い。
【００９５】
さらに上述した実施の形態においては、本発明をテレビジョン装置１に適用するようにした場合について述べたが、本発明はこれに限らず、例えばいわゆるセットトップボックスやラジオ装置など、種々の放送波を受信する種々の放送受信装置に適用するようにしても良い。この場合、例えば外部のテレビジョン装置に接続して映像を表示するようにし、或いは特に表示を行わないようにしても良い。
【００９６】
さらに上述した実施の形態においては、受信部としての受信部２１と、周波数指定部としての周波数指定部２２と、信号判別部としての信号判別部２３と、記憶部としての記憶部２４とによって放送受信装置としての放送受信装置２０を構成する場合について述べたが、本発明はこれに限らず、その他種々の回路構成でなる受信部と、周波数指定部と、信号判別部と、記憶部とによって放送受信装置を構成するようにしても良い。
【産業上の利用可能性】
【００９７】
本発明は、テレビジョン装置でも利用できる。
【図面の簡単な説明】
【００９８】
【図１】テレビジョン装置の回路構成を示す略線的ブロック図である。
【図２】周波数の領域割当の説明に供する略線図である。
【図３】周波数の交互割当の説明に供する略線図である。
【図４】本発明の機能ブロック構成を示す略線的ブロック図である。
【図５】基本動作処理手順を示すフローチャートである。
【図６】選局プリセット処理手順を示すフローチャートである。
【図７】判別登録処理手順を示すフローチャートである。
【符号の説明】
【００９９】
１……テレビジョン装置、２……制御部、３……操作部、４……受信部、４Ｔ１、４Ｔ２……チューナ、６……スケーラ、６Ｍ１、６Ｍ２……映像用メモリ領域、７……表示部、１０……ＣＰＵ、１１……記憶部、ＶＴ１、ＶＴ２……映像信号、ＶＤ１、ＶＤ２……映像データ、ＩＦ１、ＩＦ２、ＩＦｎ……選局情報。
【図１】
2009016893.tif 000003
【図２】
2009016893.tif 000004
【図３】
2009016893.tif 000005
【図４】
2009016893.tif 000006
【図５】
2009016893.tif 000007
【図６】
2009016893.tif 000008
【図７】
2009016893.tif 000009